(57)【要約】本発明は、個々のプロバイダ（ＫＭＳ１，．．．，ＫＭＳｎ）間に物理的に接続し、前記プロバイダ（ＫＭＳ１，．．．，ＫＭＳｎ）間でメッセージがトランスポートされている間、ネットワーク・システム（１）内で中央ルーティング機能を行う少なくとも１つの中央ブローカー機能ユニット（ブローカー１，．．．，ブローカーｍ）を使用しているネットワーク・システム（１）において集中的メッセージング・サービスの複数のプロバイダ（ＫＭＳ１，．．．，ＫＭＳｎ）をネットワーキングするための方法に関する。本発明は、また、適切なネットワーク・システムを提供する。【選択図】図１
2010505310.tif 000002
【特許請求の範囲】
【請求項１】
ネットワーク・システム（１）において集中的メッセージング・サービスの複数のプロバイダ（ＫＭＳ１，．．．，ＫＭＳｎ）をネットワーキングするための方法であって、個々のプロバイダ（ＫＭＳ１，．．．，ＫＭＳｎ）間に物理的に接続し、前記プロバイダ（ＫＭＳ１，．．．，ＫＭＳｎ）間でメッセージをトランスポート中に、前記ネットワーク・システム（１）内で中央ルーティング機能を行う少なくとも１つの中央ブローカー機能ユニット（ブローカー１，．．．，ブローカーｍ）を使用する方法。
【請求項２】
第１のプロバイダから第２のプロバイダにメッセージをトランスポート中に、前記少なくとも１つの中央ブローカー機能ユニット（ブローカー１，．．．，ブローカーｍ）が、前記第１のプロバイダにトランスポートされる前記メッセージの受信人となり、また前記第２のプロバイダにトランスポートされる前記メッセージの送信人となり、それにより、前記ブローカー機能ユニットと前記各プロバイダ間に１：ｎの関係が確立される、請求項１に記載の方法。
【請求項３】
前記集中的メッセージング・サービスが、ＳＭＳ、ＭＭＳ、ＩＭ、ＥＭＳ、プッシュ・ツウ・トークからなるグループからの少なくともサービスを統合する、請求項１及び２のいずれか１つに記載の方法。
【請求項４】
前記ネットワーク・システム（１）において、それぞれの場合に、前記プロバイダ（ブローカー１，．．．，ブローカーｍ）間で直接又は間接に接続される複数のブローカー機能ユニット（ブローカー１，．．．，ブローカーｍ）が使用される、前記請求項のいずれか１つに記載の方法。
【請求項５】
前記複数のブローカー機能ユニット（ブローカー１，．．．，ブローカーｍ）の少なくとも一部が直列に接続される、請求項４に記載の方法。
【請求項６】
メッセージを送信するために、前記少なくとも１つのブローカー機能ユニット（ブローカー１，．．．，ブローカーｍ）を受信人及び送信人の両方として使用するように設計されているトランスポート・プロトコルが使用される、前記請求項のいずれか１つに記載の方法。
【請求項７】
アドレスが、前記少なくとも１つのブローカー機能ユニット（ブローカー１，．．．，ブローカーｍ）と関連する、前記請求項のいずれか１つに記載の方法。
【請求項８】
メッセージのトランスポート中に、相互接続している前記少なくとも１つのブローカー機能ユニット（ブローカー１，．．．，ブローカーｍ）の前記アドレスを、少なくとも１つの可能な応答メッセージをアドレス指定するために、前記メッセージのトランスポート中、ターゲット・プロバイダとして機能している各プロバイダが使用できるようにする、請求項７に記載の方法。
【請求項９】
集中的メッセージング・サービスの複数のプロバイダ（ＫＭＳ１，．．．，ＫＭＳｎ）をネットワーキングするネットワーク・システムであって、前記ネットワーク・システム（１）において、前記個々のプロバイダ（ＫＭＳ１，．．．，ＫＭＳｎ）間に物理的に接続し、前記プロバイダ（ＫＭＳ１，．．．，ＫＭＳｎ）間でメッセージがトランスポートされている間、前記ネットワーク・システム（１）内で中央ルーティング機能を行う少なくとも１つの中央ブローカー機能ユニット（ブローカー１，．．．，ｍ）が使用されるネットワーク・システム。
【請求項１０】
第１のプロバイダから第２のプロバイダにメッセージがトランスポートされている間に、前記少なくとも１つの中央ブローカー機能ユニット（ブローカー１，．．．，ブローカーｍ）が、前記第１のプロバイダにトランスポートされる前記メッセージの受信人となり、また前記第２のプロバイダにトランスポートされる前記メッセージの送信人となり、それにより、前記ブローカー機能ユニットと前記各プロバイダ間に１：ｎの関係が確立される、請求項９に記載のネットワーク・システム。
【請求項１１】
前記集中的メッセージング・サービスが、ＳＭＳ、ＭＭＳ、ＩＭ、ＥＭＳ、プッシュ・ツウ・トークからなるグループからのサービスを統合する、請求項９又は１０に記載のネットワーク・システム。
【請求項１２】
それぞれの場合に、前記プロバイダ（ＫＭＳ１，．．．，ＫＭＳｎ）間で、直接又は間接に接続される複数のブローカー機能ユニット（ブローカー１，．．．，ブローカーｍ）が、前記ネットワーク・システム（１）で使用される、請求項９から１１のいずれか１つに記載のネットワーク・システム。
【請求項１３】
前記複数のブローカー機能ユニット（ブローカー１，．．．，ブローカーｍ）の少なくとも一部が直列に接続される、請求項１２に記載のネットワーク・システム。
【請求項１４】
メッセージを送信するために、前記少なくとも１つのブローカー機能ユニットを受信人及び送信人の両方として使用するように設計されているトランスポート・プロトコルが使用される、請求項９から１３のいずれか１つに記載のネットワーク・システム。
【請求項１５】
アドレスが、前記少なくとも１つのブローカー機能ユニットと関連する、請求項９から１４のいずれか１つに記載のネットワーク・システム。
【請求項１６】
メッセージのトランスポート中に、相互接続している前記少なくとも１つのブローカー機能ユニットの前記アドレスを、少なくとも１つの可能な応答メッセージをアドレス指定するために、メッセージのトランスポート中、ターゲット・プロバイダとして機能している各プロバイダが使用できるようにする、請求項９から１５のいずれか１つに記載のネットワーク・システム。
【請求項１７】
コンピュータ・プログラムがコンピュータ又は対応する計算装置上で稼働した場合に、請求項１から８のいずれか１つに記載の方法のすべてのステップを実行するのに適しているプログラム・コード手段を備えるコンピュータ・プログラム。
【請求項１８】
コンピュータ読み取り可能媒体と、コンピュータ・プログラムがコンピュータ又は対応する計算装置上で稼働した場合に、請求項１から８のいずれか１つに記載の方法のすべてのステップを実行するのに適している、コンピュータ読み取り可能媒体上に格納されているプログラム・コード手段を備えるコンピュータ・プログラムとを有するコンピュータ・プログラム製品。
【発明の詳細な説明】
【技術分野】
【０００１】
本発明は、ネットワーク・システムにおいて、集中的メッセージング・サービスの複数のプロバイダをネットワーキングするための方法に関する。さらに、本発明は、集中的メッセージング・サービスの複数のプロバイダのネットワーキングを含む対応するネットワーク・システムに関する。本発明は、また、コンピュータ・プログラム及びコンピュータ・プログラム製品に関する。
【背景技術】
【０００２】
現在、携帯電話技術における種々のいわゆるメッセージング・サービスは周知である。本発明の場合には、メッセージング・サービスという用語は、携帯電話技術において使用することができる、又は使用することができるようにすることができる任意のタイプの情報及びメッセージング・サービスを意味するものであると解釈されたい。このようなサービスとしては、ＳＭＳ（ショート・メッセージング・サービス）、ＭＭＳ（マルチメディア・メッセージング・サービス）、ＥＭＳ（エンハンスト・メッセージング・サービス）、ＩＭ（インスタント・メッセージング）、ＰＴＴ（プッシュ・ツウ・トーク）サービス等がある。これらの種々のサービスは、現在、個々のいわゆるサイロとして設計され、設定されている。このことは、これらの各サービスが、相互に他のサービスからほぼ独立状態で存在していることを意味する。この現在広く使用されているサイロ・アプローチは、予見できる将来いわゆる「集中的メッセージング」アプローチにより置き換えられるであろう。この場合、集中という用語は、種々のメッセージング・サービス、及びそれ故、それに関連する可能な幾つかの送信技術の統合を意味する。この統合には、例えば、移動通信のような電気通信サービスを含むデータ通信のような種々の通信サービスの統合、送信技術及び媒体コンテンツの統合が含まれる可能性があるので、例えば、グラフィックス、音声、テキスト及びビデオを同一媒体を介して送信することができる。しかし、既存のメッセージング・サービスのこのような置き換えは、各サービス・プロバイダが、それ自身の「集中的メッセージング」環境を生成することを意味する。しかし、可能な最大数の顧客に応答することができるようにするためには、各サービス・プロバイダのこのように形成された集中的メッセージング・システムは、相互に通信することができるものでなければならない。
【０００３】
現在までこのようなシナリオはまだ実現していないので、これらのプロバイダ間で良好な通信を行うために、幾つかのサービス・プロバイダの「集中的メッセージング」環境間で相互に非常に簡単で効率的な通信をネットワーキングすることもできなかった。
【発明の概要】
【発明が解決しようとする課題】
【０００４】
従って、本発明の１つの目的は、「集中的メッセージング・サービス」の種々のサービス・プロバイダの効率的なネットワーキングを行うための方法を提供することである。本発明のもう１つの目的は、このようなサービス・プロバイダの効率的なネットワーキングを含む対応するネットワーク・システムを提案することである。
【課題を解決するための手段】
【０００５】
上記目的は、請求項１記載の機能を含む方法、及び請求項９記載の機能を含むネットワーク・システムにより達成することができる。各従属請求項は、有利な実施の形態について記述している。
【０００６】
請求項１によれば、ネットワーク・システムにおいて、集中的メッセージング・サービスの複数のプロバイダをネットワーキングするための方法が提供される。そのために、少なくとも１つの中央ブローカー機能ユニットが提供されている。この中央ブローカー機能ユニットは、個々のプロバイダ間に物理的に接続し、プロバイダ間で行われるメッセージのトランスポート中に、ネットワーク・システム内で中央ルーティング機能としての働きをする。上記集中的メッセージング・サービスは、すでに説明したように、携帯電話技術において使用することができる、又は使用することができるようにすることができる任意のタイプの情報及びメッセージング・サービスを含む。このことは、従来技術の説明の用語において、本発明者が、本明細書で「メッセージング・サービス」について説明していることを意味する。中央ブローカー機能ユニットは、携帯電話技術で使用する用語の場合、中央ブローカーのことである。個々のプロバイダ間に接続している中央ブローカー機能ユニットは、個々のサービス・プロバイダとその各集中的メッセージング・システムの間でルーティング機能ユニットとしての働きをする。ルータは、通常、データ・パケットがあるネットワークから他のネットワークへ転送されるネットワーク・システムのスイッチング（ブローキング（ｂｒｏｋｉｎｇ））サイトを示すものであると見なされる。例えば、インターフェイスのようなネットワーク・システムは、この場合、例えば、このようなルータを介して相互に接続している個々のネットワークのグループ又は組として機能する。この場合、ブローカーは、集中的メッセージング・サービスの個々のプロバイダ、及びその集中的メッセージング・システム及びそれに関連する環境を相互に接続するルーティング機能としての働きをする。ここで、ブローカー又はブローカー機能ユニットにより、集中的メッセージング・サービス又はそれに関連する集中的メッセージング・システムの個々の各プロバイダは、すべての他のプロバイダと相互作用を行う必要はないが、中央でブローカー機能ユニット及び／又はブローカーと通信することができる。それ故、複数のサービス・プロバイダと物理的に接続されるブローカー機能ユニットは、プロバイダ間でメッセージをトランスポート中に、対応するメッセージを各ターゲット・プロバイダにトランスポートするタスクを行う。
【０００７】
このことは、本発明の方法のある実施の形態の場合には、少なくとも１つの中央ブローカー機能ユニットが、第１のプロバイダから第２のプロバイダにメッセージをトランスポート中に、第１のプロバイダにトランスポートされるメッセージの受信人として、及び第２のプロバイダにトランスポートされるメッセージの送信人として機能し、それにより、ブローカー機能ユニットと各プロバイダとの間に１：ｎの関係が確立することを意味する。それ故、集中的「メッセージング」又はメッセージ・コンテキストにおいては、複数の他のプロバイダと相互作用を行うことができるようにするために、サービス・プロバイダ間に１：１の関係を確立する必要はなく、単に各サービス・プロバイダとブローカー機能ユニットの間に１：ｎの関係を確立するだけでよい。
【０００８】
集中的メッセージング・サービスが、ＳＭＳ、ＭＭＳ、ＩＭ、ＥＭＳ及びプッシュ・ツウ・トークからなるグループからの少なくともサービスを統合する場合もあり得る。
【０００９】
さらに、本発明の方法の場合には、それぞれの場合に間接又は直接プロバイダ間に接続しているネットワーク・システムの複数のブローカー機能ユニットを使用する場合もあり得る。
【００１０】
この接続の場合には、複数のブローカー機能ユニットの少なくとも一部を直列に接続することができる。この方法の場合、複数のブローカー機能ユニット又はブローカーをあるプロバイダからターゲット・プロバイダに送信されるメッセージのトランスポートに関連させることができる。
【００１１】
本発明の方法のもう１つの実施の形態の場合には、メッセージを送信するために、少なくとも１つのブローカー機能ユニットを受信人及び送信人の両方として使用するように設計されているトランスポート・プロトコルが提供され、使用される。このことは、アドレスが少なくとも１つのブローカー機能ユニットに関連していることを意味する。複数のブローカー機能ユニットが存在する場合には、各アドレスを各ブローカー機能ユニットに対応するように関連付けなければならない。
【００１２】
さらに、少なくとも１つの可能な応答メッセージをアドレス指定するために、メッセージのトランスポート中にターゲット・プロバイダとして機能している各プロバイダに、メッセージのトランスポート中に、相互接続している少なくとも１つのブローカー機能ユニットのアドレスを使用することができるようにする機構を提供する場合もあり得る。また、あるプロバイダとターゲット・プロバイダとの間のメッセージのトランスポートに関連する可能性がある複数のブローカー機能ユニットが存在する場合には、関連するブローカー機能ユニットのすべてのアドレスが分かっているか、又はターゲット・プロバイダがそれを使用することができるようにする。そのため、ターゲット・プロバイダは、同様に、各ブローカー機能ユニットに可能な応答メッセージを直接アドレス指定することができ、各ブローカー機能ユニットは、この応答メッセージを対応する送信人に送ったり、又はプロバイダに出力することができる。
【００１３】
本発明は、また、集中的メッセージング・サービスの複数のプロバイダのネットワーキングを含むネットワーク・システムに関する。この場合、集中的メッセージング・サービスの複数のプロバイダのネットワーキングは、幾つかの集中的メッセージング・サービス・システム及びそれと同じ数のプロバイダに対応する環境のネットワーキングと一緒に行われる。この場合、本発明の場合には、少なくとも１つの中央ブローカー機能が、それぞれ、個々のプロバイダとその対応する関連環境の間に物理的に接続し、プロバイダ間で行われるメッセージのトランスポート中にネットワーク・システム内で中央ルーティング機能を行うネットワーク・システムで使用される。
【００１４】
少なくとも１つの中央ブローカー機能ユニット（本発明の場合には、ブローカーと呼ぶ場合もある）が、第１のプロバイダから第２のプロバイダにメッセージをトランスポート中に、第１のプロバイダにトランスポートされるメッセージの受信人として、また第２のプロバイダにトランスポートされるメッセージの送信人として機能し、それによりブローカー機能ユニットと各プロバイダとの間に１：ｎの関係が確立する場合もあり得る。このことは、すでに説明したように、集中的メッセージングの場合には、複数の他のプロバイダとの相互作用を行うことができるようにするために、種々のサービス・プロバイダ間に１：１の関係を必ずしも確立する必要はなく、単に各サービス・プロバイダとブローカー機能ユニットとの間に１：ｎの関係を確立するだけでよいことを意味する。
【００１５】
この場合には、集中的メッセージング・サービスは、ＳＭＳ、ＭＭＳ、ＩＭ、ＥＭＳ及びプッシュ・ツウ・トークからなるグループからの少なくともサービスを統合することができる。
【００１６】
ネットワーク・システムにおいて、それぞれの場合に、個々のプロバイダ間に直接又は間接に接続している複数のブローカー機能ユニットを使用する場合もあり得る。この場合、ブローカー機能ユニットのうちの少なくとも幾つかを直列に接続する場合もあり得る。そのため、例えば、複数のブローカー機能ユニットが、第１のプロバイダと第２のプロバイダの間のメッセージのトランスポートに関連する場合もあり得る。
【００１７】
メッセージを送信するために、ネットワーク・システムにおいて、少なくとも１つのブローカー機能ユニットを受信人及び送信人の両方として使用するように設計されているトランスポート・プロトコルが提供される。ネットワーク・システム内に複数のブローカー機能ユニットが存在している場合には、ネットワーク・システムに関連するすべてのブローカー機能ユニットは、受信人及び送信人の両方として使用することができるものでなければならない。この場合、１つのアドレスを、ネットワーク・システム内に存在していて、集中的メッセージング・サービスのプロバイダ間のメッセージのトランスポートに関連することができる各ブローカー機能ユニットと関連付けることができるものでなければならない。このようにして、プロバイダは、応答メッセージを、もとの送信したメッセージのトランスポートに関連したブローカー機能ユニットのうちの１つにアドレス指定するために、アドレスへの他のプロバイダのメッセージにアクセスすることができる。
【００１８】
さらに、本発明は、好適には、ネットワーク・システム内であることが好ましいコンピュータ又は対応する計算装置上でコンピュータ・プログラムを稼働した場合に、それにより、本発明の方法のすべてのステップを実行することができる、プログラム・コード手段を備えるコンピュータ・プログラムを提供する。
【００１９】
さらに、本発明は、好適には、ネットワーク・システム内であることが好ましいコンピュータ又は対応する計算装置上でコンピュータ・プログラムを稼働した場合に、それにより、本発明の方法のすべてのステップを実行することができる、コンピュータ読み取り可能媒体上に格納されているプログラム・コード手段を備えるコンピュータ・プログラムを有するコンピュータ・プログラム製品を提供する。
【００２０】
本発明の他の利点及び修正は、添付の図面を参照しながら以下の説明を読めば理解することができるだろう。
【００２１】
上記及び下記の機能は、本発明の範囲から逸脱することなしに、それぞれの場合に指定する組合せで使用することができるばかりでなく、他の組合せ又は単独で使用することができることを理解されたい。
【図面の簡単な説明】
【００２２】
本発明をある実施の形態により図面に概略示し、この図面を参照しながら以下に詳細に説明する。
【００２３】
【図１】集中的メッセージング・サービスの複数のプロバイダが相互にネットワーキングされる本発明のネットワーク・システムの一実施の形態の略図である。
【発明を実施するための形態】
【００２４】
図１は、ネットワーク・システム１の略図を示す。このネットワーク・システム１内には、集中的メッセージング・サービスの複数のプロバイダＫＭＳ１，．．．，ＫＭＳｎが位置する。個々のプロバイダ間及びその集中的メッセージング環境間（それぞれ、この図においては、それぞれを雲の形で示す、それぞれの場合、それらに関連するＫＭＳ１，．．．，ＫＭＳｎ）に、それぞれの場合、この図においては、ブローカーで示す少なくとも１つの中央ブローカー機能ユニットが配置されている。サービス・プロバイダＫＭＳ１とサービス・プロバイダＫＭＳ３の間には、それによりブローカー機能ユニット・ブローカー１が配置されていて、このブローカー機能ユニット・ブローカー１は、プロバイダＫＭＳ１とプロバイダＫＭＳ３との間でメッセージがトランスポートされている間、ネットワーク・システム１内で中央ルーティング機能ユニットとして機能する。しかし、メッセージがＫＭＳ１とＫＭＳ２との間でトランスポートされるものである場合には、このメッセージは、複数の相互接続しているブローカー機能ユニット（ブローカー１，．．．，ブローカーｍ）を介して送信される。このことは、この場合、複数のブローカー機能ユニットが直列に接続していて、すべてがＫＭＳ１とＫＭＳ２との間のメッセージの送信に一緒に関連していることを意味する。また、ＫＭＳ１とＫＭＳｎとの間のメッセージの送信、又はＫＭＳ３とＫＭＳ２との間並びにＫＭＳ３とＫＭＳｎとの間のメッセージの送信についても同じことが言える。この場合も、ＫＭＳ２とＫＭＳｎとの間のメッセージの送信中、ブローカーｍだけが相互接続していて、このブローカーｍは、ＫＭＳ２とＫＭＳｎとの間のメッセージの送信中、ネットワーク・システム１内でルーティング機能を行う。メッセージの送信が行われるプロバイダ間にいくつの数のブローカー機能ユニットが配置されていても、複数の各プロバイダは、たった１つのブローカー又は１つのブローカー機能ユニットのみと直接接続する。そのため、各プロバイダは、そのメッセージをたった１つのブローカー機能ユニットのみにアドレス指定する。これにより、プロバイダ側のアドレス指定が非常に容易になり、それ故、複数の他のプロバイダへのメッセージの送信が非常に容易になる。何故なら、複数のアドレス指定を行う代わりに、１回のアドレス指定、すなわち、対応するプロバイダに直接接続しているブローカー機能ユニットへ１回アドレス指定をするだけでよいからである。各ブローカー機能ユニットは、複数のプロバイダに直接接続することができ、それによりブローカー機能ユニット及びサービス・プロバイダが１：ｎの関係になる。ブローカー機能ユニットは、さらに、図１に示すように、関連するブローカー機能ユニットにより、ターゲット・プロバイダにさらに送られる前に、メッセージが送信される可能性がある他のブローカー機能ユニットに接続することができる。直列に又は相互に接続することができるブローカー機能ユニットの数は、任意の数であり、とりわけ、ネットワーク・システムのサイズ及びネットワーク・システム内に存在するプロバイダの数により、及びそれと関連する集中的メッセージング環境により異なる。このことは、ここに指定する数ｍは、ゼロより大きいいかなる任意の自然数も使用することができることを意味する。本明細書においてプロバイダの数を示す数ｎについても同じことが言える。
【図１】
2010505310.tif 000003
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
ネットワーク・システム（１）において集中的メッセージング・サービスの複数のプロバイダ（ＫＭＳ１，．．．，ＫＭＳｎ）をネットワーキングするための方法であって、個々のプロバイダ（ＫＭＳ１，．．．，ＫＭＳｎ）間に物理的に接続し、前記プロバイダ（ＫＭＳ１，．．．，ＫＭＳｎ）間でメッセージがトランスポートされている間、前記ネットワーク・システム（１）内で中央ルーティング機能を行う複数のブローカー機能ユニット（ブローカー１，．．．，ブローカーｍ）を使用し、前記複数のブローカー機能ユニット（ブローカー１，．．．，ブローカーｍ）の少なくとも一部が直列に接続される方法。
【請求項２】
第１のプロバイダから第２のプロバイダにメッセージをトランスポート中に、少なくとも１つの中央ブローカー機能ユニット（ブローカー１，．．．，ブローカーｍ）が、前記第１のプロバイダにトランスポートされる前記メッセージの受信人となり、また前記第２のプロバイダにトランスポートされる前記メッセージの送信人となり、それにより、前記ブローカー機能ユニットと前記各プロバイダ間に１：ｎの関係が確立される、請求項１に記載の方法。
【請求項３】
前記集中的メッセージング・サービスが、ＳＭＳ、ＭＭＳ、ＩＭ、ＥＭＳ、プッシュ・ツウ・トークからなるグループからの少なくともサービスを統合する、請求項１及び２のいずれか１つに記載の方法。
【請求項４】
前記ネットワーク・システム（１）内の前記ブローカー機能ユニット（ブローカー１，．．．，ブローカーｍ）が、それぞれの場合に、前記プロバイダ（ブローカー１，．．．，ブローカーｍ）間で直接又は間接に接続される、前記請求項のいずれか１つに記載の方法。
【請求項５】
メッセージを送信するために、各ブローカー機能ユニット（ブローカー１，．．．，ブローカーｍ）を受信人及び送信人の両方として使用するように設計されているトランスポート・プロトコルが使用される、前記請求項のいずれか１つに記載の方法。
【請求項６】
アドレスが、少なくとも１つのブローカー機能ユニット（ブローカー１，．．．，ブローカーｍ）と関連する、前記請求項のいずれか１つに記載の方法。
【請求項７】
メッセージのトランスポート中に、相互接続している前記少なくとも１つのブローカー機能ユニット（ブローカー１，．．．，ブローカーｍ）の前記アドレスを、少なくとも１つの可能な応答メッセージをアドレス指定するために、前記メッセージのトランスポート中、ターゲット・プロバイダとして機能している各プロバイダが使用できるようにする、請求項６に記載の方法。
【請求項８】
集中的メッセージング・サービスの複数のプロバイダ（ＫＭＳ１，．．．，ＫＭＳｎ）をネットワーキングするネットワーク・システムであって、前記ネットワーク・システム（１）において、前記個々のプロバイダ（ＫＭＳ１，．．．，ＫＭＳｎ）間に物理的に接続し、前記プロバイダ（ＫＭＳ１，．．．，ＫＭＳｎ）間でメッセージがトランスポートされている間、前記ネットワーク・システム（１）内で中央ルーティング機能を行う複数のブローカー機能ユニット（ブローカー１，．．．，ブローカーｍ）が使用され、前記複数のブローカー機能ユニット（ブローカー１，．．．，ブローカーｍ）の少なくとも一部が直列に接続されるネットワーク・システム。
【請求項９】
第１のプロバイダから第２のプロバイダにメッセージがトランスポートされている間に、少なくとも１つの中央ブローカー機能ユニット（ブローカー１，．．．，ブローカーｍ）が、前記第１のプロバイダにトランスポートされる前記メッセージの受信人となり、また前記第２のプロバイダにトランスポートされる前記メッセージの送信人となり、それにより、前記ブローカー機能ユニットと前記各プロバイダ間に１：ｎの関係が確立される、請求項８に記載のネットワーク・システム。
【請求項１０】
前記集中的メッセージング・サービスが、ＳＭＳ、ＭＭＳ、ＩＭ、ＥＭＳ、プッシュ・ツウ・トークからなるグループからのサービスを統合する、請求項８又は９に記載のネットワーク・システム。
【請求項１１】
それぞれの場合に、前記プロバイダ（ＫＭＳ１，．．．，ＫＭＳｎ）間で、直接又は間接に接続される複数のブローカー機能ユニット（ブローカー１，．．．，ブローカーｍ）が、前記ネットワーク・システム（１）で使用される、請求項８から１０のいずれか１つに記載のネットワーク・システム。
【請求項１２】
メッセージを送信するために、各ブローカー機能ユニットを受信人及び送信人の両方として使用するように設計されているトランスポート・プロトコルが使用される、請求項８から１１のいずれか１つに記載のネットワーク・システム。
【請求項１３】
アドレスが、少なくとも１つのブローカー機能ユニットと関連する、請求項８から１２のいずれか１つに記載のネットワーク・システム。
【請求項１４】
メッセージのトランスポート中に、相互接続している前記少なくとも１つのブローカー機能ユニットの前記アドレスを、少なくとも１つの可能な応答メッセージをアドレス指定するために、メッセージのトランスポート中、ターゲット・プロバイダとして機能している各プロバイダが使用できるようにする、請求項１３に記載のネットワーク・システム。
【請求項１５】
コンピュータ・プログラムがコンピュータ又は対応する計算装置上で稼働した場合に、請求項１から７のいずれか１つに記載の方法のすべてのステップを実行するのに適しているプログラム・コード手段を備えるコンピュータ・プログラム。
【請求項１６】
コンピュータ読み取り可能媒体と、コンピュータ・プログラムがコンピュータ又は対応する計算装置上で稼働した場合に、請求項１から７のいずれか１つに記載の方法のすべてのステップを実行するのに適している、コンピュータ読み取り可能媒体上に格納されているプログラム・コード手段を備えるコンピュータ・プログラムとを有するコンピュータ・プログラム製品。
【国際調査報告】
2010505310.tif 000004
2010505310.tif 000005
2010505310.tif 000006
2010505310.tif 000007